(57)【要約】【課題】建設工事現場における朝礼時間を短縮する。【解決手段】朝礼実施システム１００は、朝礼において使用するコンテンツを保存する第一のサーバ１３０と、建設工事現場１１０内の３つの場所の各々に設置され、コンテンツに含まれる画像及び音声を再生する再生装置１４１、１４２、１４３と、第一のサーバからコンテンツを受信し、受信したコンテンツを再生装置に同時に配信する第二のサーバ１５０と、から構成される。朝礼実施システム１００によれば、建設工事現場１１０内の３つの場所１２１、１２２、１２３において、朝礼を同時に行うことができる。【選択図】図１
2010108139.tif 000002
【特許請求の範囲】
【請求項１】
建設工事現場内の予め定められた少なくとも一つの場所において朝礼を同時に行う朝礼実施システムであって、
朝礼において使用するコンテンツを保存する第一のサーバと、
前記場所に設置され、前記コンテンツに含まれる画像及び音声を再生する再生装置と、
前記第一のサーバから前記コンテンツを受信し、受信した前記コンテンツを前記再生装置に同時に配信する第二のサーバと、
からなる朝礼実施システム。
【請求項２】
発言者の音声を集音するマイクロホンをさらに備え、
前記マイクロホンが集音した音声のデータは前記第二のサーバに送信され、前記第二のサーバは前記コンテンツとともに前記音声データを前記再生装置に配信することを特徴とする請求項１に記載の朝礼実施システム。
【請求項３】
前記建設工事現場の入り口に設置され、各作業員のＩＤデータを読み取るＩＤデータリーダーをさらに備え、
前記ＩＤデータリーダーの読み取り結果は前記第二のサーバに送信され、前記第二のサーバは前記コンテンツとともに前記ＩＤデータの集計結果を前記再生装置に送信することを特徴とする請求項１または２に記載の朝礼実施システム。
【請求項４】
建設工事現場内の予め定められた少なくとも一つの場所において朝礼を同時に行う朝礼実施方法であって、
朝礼において使用するコンテンツを第一のサーバに保存する第一の過程と、
前記第一のサーバから前記コンテンツを、前記場所に設置され、前記コンテンツに含まれる画像及び音声を再生する再生装置に同時に配信する第二の過程と、
からなる朝礼実施方法。
【請求項５】
発言者の音声を集音する第三の過程をさらに備え、
前記第三の過程において集音された音声のデータは、前記第二の過程において、前記コンテンツとともに前記再生装置に配信されることを特徴とする請求項４に記載の朝礼実施方法。
【請求項６】
前記建設工事現場の入り口において各作業員のＩＤデータを読み取る第四の過程と、
前記ＩＤデータの集計結果を前記再生装置に送信する第五の過程と、
をさらに備えることを特徴とする請求項４または５に記載の朝礼実施方法。
【発明の詳細な説明】
【技術分野】
【０００１】
本発明は、建設工事現場内において効率的に朝礼を行うための朝礼実施システム及び朝礼実施方法に関する。
【背景技術】
【０００２】
ほぼ全ての建設工事現場においては、作業を行う日の朝に（すなわち、作業開始前に）必ず朝礼が実施される。
【０００３】
建設工事現場においては、毎日、数十職種の作業員が入り混じって作業が行われる。定められた期間内に安全かつ適切な作業を遂行するためには、各職種の連携、作業範囲及び作業内容の徹底、問題事項の事前周知を図ることが必須であり、そのためには、毎朝、朝礼を実施することは建設工事現場においては不可欠の要素となっている。
【０００４】
通常、朝礼で伝達される事項は、当日に行われる作業の内容、危険作業の事例、通達事項などである。
【０００５】
朝礼そのものは約１０分乃至約１５分で終了するが、朝礼に付随する行動にも時間が必要となっている。すなわち、朝礼が行われる場所に作業員全員が集合するのに必要な時間として約２０分、朝礼終了後に作業員がそれぞれの持ち場に戻るのに必要な時間が約２０分である。
【０００６】
なお、以下に述べるように、本発明の課題及びその課題を解決するための手段に類する課題及び課題解決手段を開示している先行技術文献は発見できなかった。このため、先行技術文献としての特許文献は例示しない。
【特許文献１】なし
【発明の開示】
【発明が解決しようとする課題】
【０００７】
近年では、特に都心においては、敷地一杯まで建設工事現場となっていることが多く、作業員を一カ所に集めるための場所を確保することが極めて困難になっている。
【０００８】
また、近隣への配慮から、朝礼の際に大音量を流すことは避けなければならないが、作業員が大勢いるような場合には、大音量を流さないと、後方にいる作業員には聞こえないことが多々ある。
【０００９】
さらに、前述のように、朝礼に要する時間とは別に、朝礼場所への集合及び朝礼場所から各持ち場への分散に多くの時間を要している。これらの朝礼に付随する行動により、実際の作業時間が減少し、ひいては、多大な人件費が無駄になっている。
【００１０】
本発明は、以上のような問題点に鑑みてなされたものであり、建設工事現場における現行の朝礼制度に伴う問題点を解決する朝礼実施システム及び朝礼実施方法を提供することを目的とする。
【課題を解決するための手段】
【００１１】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１２】
上記の目的を達成するため、本発明は、建設工事現場（１１０）内の予め定められた少なくとも一つの場所（１２１、１２２、１２３）において朝礼を同時に行う朝礼実施システム（１００）であって、朝礼において使用するコンテンツを保存する第一のサーバ（１３０）と、前記場所（１２１、１２２、１２３）に設置され、前記コンテンツに含まれる画像及び音声を再生する再生装置（１４１、１４２、１４３）と、前記第一のサーバ（１３０）から前記コンテンツを受信し、受信した前記コンテンツを前記再生装置（１４１、１４２、１４３）に同時に配信する第二のサーバ（１５０）と、からなる朝礼実施システム（１００）を提供する。
【００１３】
本発明に係る朝礼実施システム（２００）は、発言者の音声を集音するマイクロホン（２１０）をさらに備えることができる。前記マイクロホン（２１０）が集音した音声のデータは前記第二のサーバ（１５０）に送信され、前記第二のサーバ（１５０）は前記コンテンツとともに前記音声データを前記再生装置（１４１、１４２、１４３）に配信する。
【００１４】
本発明に係る朝礼実施システム（３００）は、前記建設工事現場（１１０）の入り口に設置され、各作業員のＩＤデータを読み取るＩＤデータリーダー（３１０）をさらに備えることができる。前記ＩＤデータリーダー（３１０）の読み取り結果は前記第二のサーバ（１５０）に送信され、前記第二のサーバ（１５０）は前記コンテンツとともに前記ＩＤデータの集計結果を前記再生装置（１４１、１４２、１４３）に送信する。
【００１５】
本発明は、さらに、建設工事現場（１１０）内の予め定められた少なくとも一つの場所（１２１、１２２、１２３）において朝礼を同時に行う朝礼実施方法であって、朝礼において使用するコンテンツを第一のサーバ（１３０）に保存する第一の過程と、前記第一のサーバ（１３０）から前記コンテンツを、前記場所（１２１、１２２、１２３）に設置され、前記コンテンツに含まれる画像及び音声を再生する再生装置（１４１、１４２、１４３）に同時に配信する第二の過程と、からなる朝礼実施方法を提供する。
【００１６】
本発明に係る朝礼実施方法は、発言者の音声を集音する第三の過程をさらに備えることができる。前記第三の過程において集音された音声のデータは、前記第二の過程において、前記コンテンツとともに前記再生装置（１４１、１４２、１４３）に配信される。
【００１７】
本発明に係る朝礼実施方法は、前記建設工事現場（１１０）の入り口において各作業員のＩＤデータを読み取る第四の過程と、前記ＩＤデータの集計結果を前記再生装置（１４１、１４２、１４３）に送信する第五の過程と、をさらに備えることができる。
【発明の効果】
【００１８】
従来は、多くの作業員の移動時間の軽減、多くの作業員を一同に集める場所の確保が極めて困難であったが、本発明に係る朝礼実施システム及び朝礼実施方法によれば、多くの作業員の移動時間の軽減を図ることが可能になり、さらに、多くの作業員を一同に集める場所を確保することも不要になる。
【００１９】
本発明に係る朝礼実施システム及び朝礼実施方法によれば、建設工事現場内の予め定められた少なくとも一つの場所に、コンテンツに含まれる画像及び音声を再生する再生装置が設置される。すなわち、このような場所において朝礼を実施することが可能になる。このような場所として、作業員が常駐している作業員休憩所を選択することにより、作業員の移動時間（朝礼が行われる場所に作業員全員が集合するための時間と朝礼終了後に作業員がそれぞれの持ち場に戻るための時間との和）をほぼゼロにすることができる。
【００２０】
また、従来の朝礼では、必要事項を聞き逃した場合、誰かに聞くことが必要であったが、本発明に係る朝礼実施システム及び朝礼実施方法によれば、朝礼の内容を繰り返し視聴することが可能であるため、必要事項の再確認を確実に行うことが可能である。
【００２１】
さらに、本発明に係る朝礼実施システム及び朝礼実施方法によれば、作業員の移動時間をほぼゼロにすることができることに伴い、実際の作業時間の減少の防止、ひいては、大幅な経費の削減を行うことが可能である。
【００２２】
以下、どの程度の経費の削減及び実際の作業時間の減少の防止が可能であるか、一例を示して、説明する。
【００２３】
前提条件として以下の条件を設定する。
【００２４】
（前提条件）
各作業員の移動時間：４０分
（朝礼場所への集合に要する時間：２０分）
（持ち場へ戻るのに要する時間：２０分）
作業員一人当たりの賃金：２万円／日
一日の作業時間：８時間
作業員総数：７５０人（一日当たりの作業員数が５００人／日から１０００人／日とした場合の平均値）
一月あたりの作業日数：２５日／月
工期：６カ月
【００２５】
先ず、作業員一人当たりの時給は次式により計算される。
２万円÷８時間＝２５００円／時
【００２６】
従って、移動時間４０分に対する賃金は次式により計算される。
２５００×４０／６０＝１６６７円
【００２７】
６カ月の工期の間に、４０分の移動時間に対して、全作業員に以下の賃金を支払うことになる。
１６６７円×２５日／月×６カ月×７５０＝１８７，５００，０００円
【００２８】
さらに、６カ月の工期の間における一人当たりの移動時間の総和は次のようになる。
４０分／日×２５日／月×６カ月＝６０００分（１００時間）
【００２９】
従って、全作業員の移動時間の総和は次式により計算される。
６０００分×７５０人＝４，５００，０００分（７５０，０００時間）
【００３０】
上記の前提条件の下では、１億８千７百５十万円の経費の節減が可能であり、さらに、７５万時間の作業時間の減少を回避することが可能になる。
【００３１】
また、発言者の音声を集音するマイクロホンをさらに備え、このマイクロホンが集音した音声のデータを第二のサーバに送信することにより、発言者の音声をリアルタイムで（生で）再生装置から流すことが可能である。すなわち、コンテンツ作成後に通達すべき事項が緊急に生じたような場合には、予め用意したコンテンツに加えて、その緊急通達事項をもコンテンツとともにリアルタイムで通達することが可能になる。
【００３２】
さらに、建設工事現場の入り口に各作業員のＩＤデータを読み取るＩＤデータリーダーを設置することにより、従来はリアルタイムで把握することが困難であった建設工事現場への入場者総数を把握することが可能になるとともに、建設工事現場に入場していない作業員の特定が可能になる。この入場者総数を再生装置に表示することにより、建設工事現場に作業員全員が入場しているか否かを確認することができ、作業員全員が入場していないとすれば、誰が入場していないかをリアルタイムで特定することが可能である。
【発明を実施するための最良の形態】
【００３３】
（第一の実施形態）
図１は、本発明の第一の実施形態に係る朝礼実施システム１００のブロック図である。
【００３４】
本実施形態に係る朝礼実施システム１００は、建設工事現場１１０の内部の予め定められた場所、例えば、作業員の３つの休憩所１２１、１２２、１２３において同時に朝礼を行うことを可能にする。
【００３５】
図１に示すように、本実施形態に係る朝礼システム１００は、朝礼において使用するコンテンツを保存する第一のサーバ１３０と、３つの休憩所１２１、１２２、１２３のそれぞれに設置された再生装置１４１、１４２、１４３と、第一のサーバ１３０からコンテンツを受信し、受信したコンテンツを再生装置１４１、１４２、１４３の各々に同時に配信する第二のサーバ１５０と、から構成されている。
【００３６】
第一のサーバ１３０に保存されるコンテンツは画像及び音声からなるディジタルデータを含んでいる。
【００３７】
各休憩所１２１、１２２、１２３に設置された再生装置１４１、１４２、１４３は画像及び音声のディジタルデータを再生する機能を有しており、第二のサーバ１５０から受信したディジタルデータにより示される画像及び音声を再生する。
【００３８】
第一のサーバ１３０には３つの端末装置１６１、１６２、１６３がネットワーク（図示せず）を介して接続されている。
【００３９】
端末装置１６１、１６２、１６３は建設工事現場１１０以外の場所、例えば、建設工事会社の本社などに設置されており、作成された朝礼用のコンテンツは端末装置１６１、１６２、１６３から第一のサーバ１３０に送信される。
【００４０】
あるいは、朝礼用のコンテンツは第一のサーバ１３０を用いて作成し、第一のサーバ１３０に保存しておくことも可能である。
【００４１】
第一のサーバ１３０及び第二のサーバ１５０は必ずしも建設工事現場１１０内に設置しておくことは必要ではなく、任意の場所に設置することが可能である。
【００４２】
以上のような構造を有する本実施形態に係る朝礼実施システム１００は以下のように動作する。
【００４３】
作業員は建設工事現場１１０に入場した後、それぞれ予め割り当てられた３つの休憩所１２１、１２２、１２３の何れかに入る。この段階は作業開始前の段階である。
【００４４】
第一のサーバ１３０には、端末装置１６１、１６２、１６３を介して、朝礼用のコンテンツが送信され、保存されている。あるいは、第一のサーバ１３０において朝礼用のコンテンツが作成され、保存されている。
【００４５】
朝礼開始の時間（例えば、午前８時）になると、第一のサーバ１３０から第二のサーバ１５０に対して朝礼用のコンテンツが送信される。
【００４６】
第一のサーバ１３０から朝礼用のコンテンツを受信した第二のサーバ１５０は、受信した朝礼用のコンテンツを各再生装置１４１、１４２、１４３に同時に配信する。
【００４７】
各再生装置１４１、１４２、１４３は第二のサーバ１５０から朝礼用のコンテンツを受信すると、受信したコンテンツに含まれている画像及び音声データを再生する。
【００４８】
各休憩所１２１、１２２、１２３に集まっている作業員は、各休憩所１２１、１２２、１２３に設置されている各再生装置１４１、１４２、１４３が再生する画像及び音声を視聴する。これにより、朝礼が実施されたことになる。
【００４９】
以上のように、本実施形態に係る朝礼実施システム１００によれば、以下の効果を得ることができる。
【００５０】
第一に、多くの作業員を一同に集める場所を確保することが不要になる。多くの作業員を一同に集めるためには、比較的広い場所を確保することが必要であるが、近年の建設工事現場においては、そのような広い場所を確保することが年々困難になっている。本実施形態に係る朝礼実施システム１００によれば、そのような広い場所を確保することが不要となる。
【００５１】
第二に、本実施形態に係る朝礼実施システム１００によれば、作業員が常駐している休憩所において朝礼を実施することが可能になる。このため、作業員の移動時間（朝礼が行われる場所に作業員全員が集合するための時間と朝礼終了後に作業員がそれぞれの持ち場に戻るための時間との和）をほぼゼロにすることができる。
【００５２】
第三に、従来の朝礼では、必要事項を聞き逃した場合、誰かに聞くことが必要であったが、本実施形態に係る朝礼実施システム１００によれば、朝礼の内容を繰り返し視聴することが可能であるため、必要事項の再確認を確実に行うことが可能である。
【００５３】
第四に、作業員の移動時間をほぼゼロにすることができることに伴い、実際の作業時間の減少を防止することができ、ひいては、大幅な経費（人件費）の削減を行うことが可能である。
【００５４】
本実施形態に係る朝礼実施システム１００は上記の構成に限定されるものではなく、種々の改変が可能である。
【００５５】
本実施形態に係る朝礼実施システム１００は３つの休憩所１２１、１２２、１２３を対象としているが、休憩所の数は３には限定されない。１以上の任意の数の休憩場を対象とすることができる。
【００５６】
また、再生装置１４１、１４２、１４３を設置する場所は作業員の休憩所には限定されない。他の適当な場所に設置することが可能である。
【００５７】
（第二の実施形態）
図２は、本発明の第二の実施形態に係る朝礼実施システム２００のブロック図である。
【００５８】
本実施形態に係る朝礼実施システム２００は、第一の実施形態に係る朝礼実施システム１００と比較して、発言者（例えば、現場監督者）の音声を集音するマイクロホン２１０をさらに備えている。
【００５９】
マイクロホン２１０が集音した音声のデータは第二のサーバ１５０に送信され、第二のサーバ１５０はコンテンツとともにこの音声データを再生装置１４１、１４２、１４３に配信する。
【００６０】
本実施形態に係る朝礼実施システム２００によれば、発言者の音声がコンテンツとともに再生装置１４１、１４２、１４３において再現される。例えば、コンテンツの内容に対して補充説明が必要な場合には、コンテンツの場面に応じて、発言者が説明を加えることにより、必要な補充説明をコンテンツの内容に対してリアルタイムで追加することができる。
【００６１】
（第三の実施形態）
図３は、本発明の第三の実施形態に係る朝礼実施システム３００のブロック図である。
【００６２】
本実施形態に係る朝礼実施システム３００は、第一の実施形態に係る朝礼実施システム１００と比較して、各作業員のＩＤデータを読み取るＩＤデータリーダー３１０をさらに備えている。
【００６３】
ＩＤデータリーダー３１０は建設工事現場１１０の入り口に設置されており、各作業員に割り当てられている各作業員固有のＩＤデータを読み取る。
【００６４】
ＩＤデータリーダー３１０が読み取ったＩＤデータは第二のサーバ１５０に送信される。
【００６５】
第二のサーバ１５０には、予め、建設工事現場１１０において作業に従事している作業員全員のリストが格納されている。第二のサーバ１５０は、ＩＤデータリーダー３１０から送信される各作業員のＩＤデータを作業員全員のリストと照合することにより、集計結果を作成する。この集計結果には、建設工事現場１１０に入場した作業員の総数と、建設工事現場１１０に入場していない作業員のリストとが含まれている。この集計結果は、コンテンツとともに、第二のサーバ１５０から各再生装置１４１、１４２、１４３に配信される。
【００６６】
以上のように、本実施形態に係る朝礼実施システム３００によれば、建設工事現場１１０に作業員全員が入場しているか否かを確認することができ、作業員全員が入場していないとすれば、誰が入場していないかを即座に特定することが可能である。
【００６７】
なお、本実施形態に係る朝礼実施システム３００におけるＩＤデータリーダー３１０は第二の実施形態に係る朝礼実施システム２００に対しても適用することが可能である。
【図面の簡単な説明】
【００６８】
【図１】図１は本発明の第一の実施形態に係る朝礼実施システムのブロック図である。
【図２】図２は本発明の第一の実施形態に係る朝礼実施システムのブロック図である。
【図３】図３は本発明の第一の実施形態に係る朝礼実施システムのブロック図である。
【符号の説明】
【００６９】
１００  本発明の第一の実施形態に係る朝礼実施システム
１１０  建設工事現場
１２１、１２２、１２３  休憩所
１３０  第一のサーバ
１４１、１４２、１４３  再生装置
１５０  第二のサーバ
１６１、１６２、１６３  端末装置
２００  本発明の第二の実施形態に係る朝礼実施システム
２１０  マイクロホン
３００  本発明の第三の実施形態に係る朝礼実施システム
３１０  ＩＤデータリーダー
【図１】
2010108139.tif 000003
【図２】
2010108139.tif 000004
【図３】
2010108139.tif 000005